(57)【要約】      （修正有）【課題】缶容器の保存性を高めつつ、非力な人でも簡単に封止蓋を開けることができる缶容器を提供する。【解決手段】缶胴１の上端口部２が外側方向に向かって湾曲して断面円弧状に曲成され、当該曲成された上端口部２に少なくとも金属層、合成樹脂層及び接着剤層の３層が積層された構造を有する封止シート３が剥離可能に接着された缶容器において、前記封止シート３の周縁部４の一部に突出して形成されるタブ５を具備し、前記タブ５が形成された当該封止シート３の周縁部４においては、前記上端口部２の少なくとも内側部１１及び上側部１２に、当該封止シート３の接着剤層が熱融着により圧着され、前記タブ５が具備されていない当該封止シート３の他の周縁部においては、前記上端口部２の少なくとも内側部１１、上側部１２及び外側部１３に、当該封止シート３の接着剤層が熱融着により圧着される。【選択図】図３
0003143942.tif 000002
【実用新案登録請求の範囲】
【請求項１】
缶胴の上端口部が外側方向に向かって湾曲して断面円弧状に曲成され、当該曲成された上端口部に少なくとも金属層、合成樹脂層及び接着剤層の３層が積層された構造を有する封止シートが剥離可能に接着された缶容器において、
前記封止シートの周縁部の一部に突出して形成される剥離開始用タブを具備し、
前記剥離開始用タブが形成された周縁部の一の領域においては、前記上端口部の少なくとも内側部及び上側部に、当該封止シートの接着剤層が熱融着により圧着され、
前記周縁部の他の領域及び当該周縁部の前記剥離開始用タブが形成されていない領域においては、前記上端口部の少なくとも内側部、上側部及び外側部に、当該封止シートの接着剤層が熱融着により圧着されることを特徴とする缶容器。
【請求項２】
請求項１に記載の缶容器において、
前記剥離開始用タブの外周部から、当該剥離開始用タブが形成された前記周縁部の一の領域近傍に向かって切開部が延出されていることを特徴とする缶容器。
【請求項３】
請求項１又は２に記載の缶容器において、
前記剥離開始用タブが二股に分かれた形状を有しており、
当該剥離開始用タブの分岐点を含み、当該剥離開始用タブの分岐が開始される第１の領域における当該二股に分かれた剥離開始用タブのなす角度が鋭角であり、当該剥離開始用タブの外側領域であって前記封止シートと着設される第２の領域における着設箇所が円弧状をなしてあることを特徴とする缶容器。
【請求項４】
請求項３に記載の缶容器において、
前記第１の領域に対応する前記封止シートの周縁部においては、前記上端口部の少なくとも内側部及び上側部に、当該封止シートの接着剤層が熱融着により圧着され、
前記第１の領域以外の他の領域に対応する当該封止シートの周縁部においては、前記上端口部の少なくとも内側部、上側部及び外側部に、当該封止シートの接着剤層が熱融着により圧着されて当該封止シートが接着されることを特徴とする缶容器。
【考案の詳細な説明】
【技術分野】
【０００１】
本考案は、乾物等を保存する缶容器に関し、特に、力が弱い人でも簡単に封止蓋を開けることができる缶容器に関する。
【背景技術】
【０００２】
海苔やお茶等の乾物は、僅かな湿気に晒されるだけで品質が格段に落ちてしまうため、保存には最新の注意が必要となる。従って、現在これらの乾物の保存容器は、一般的に缶胴の上開口部に金属性のシールを貼着して密封し、缶内部に乾燥剤を入れて保存されている。
【０００３】
特許文献１に示す技術は、缶容器の保存性を高めた技術であり、図１３に示すように、缶胴１の上端口部２にアルミ箔等の缶蓋シール３を剥離可能に貼着した缶容器において、缶蓋シール３の貼着部となる缶胴上端部を、中途より縮径するように折曲げて内側へ膨出した内鍔部４を彎曲形成するとともに、その上端を外向きに巻曲して缶胴の外径より大きく張り出し且つ上縁５が円弧面となるように外鍔６を一体形成し、この外鍔上縁の円弧面に前記缶蓋シール３の周縁部３ａを貼着し、その上から外蓋７を着脱可能に嵌設してなる缶容器の口部シール構造が開示されている。
【特許文献１】実用新案登録第３０２３３９８号公報
【考案の開示】
【考案が解決しようとする課題】
【０００４】
しかしながら、特許文献１に示す技術は、シールの貼着面を広くすることでシール性の効果を増大させて保存性を高めているが、シール性の効果が増大するのに伴ってシールの剥離性が減少し、例えば、お年寄り等の非力な人にとっては大変開封しにくい容器になってしまうという課題を有する。
そこで、本考案は前記課題を解決するためになされたものであり、缶容器の保存性を高めつつ、非力な人でも簡単に封止蓋を開けることができる缶容器を提供することを目的とする。
【課題を解決するための手段】
【０００５】
（１．缶容器）
本願に開示する缶容器は、缶胴の上端口部が外側方向に向かって湾曲して断面円弧状に曲成され、当該曲成された上端口部に少なくとも金属層、合成樹脂層及び接着剤層の３層が積層された構造を有する封止シートが剥離可能に接着された缶容器において、前記封止シートの周縁部の一部に突出して形成される剥離開始用タブを具備し、前記剥離開始用タブが形成された周縁部の一の領域においては、前記上端口部の少なくとも内側部及び上側部に、当該封止シートの接着剤層が熱融着により圧着され、前記周縁部の他の領域及び当該周縁部の前記剥離開始用タブが形成されていない領域においては、前記上端口部の少なくとも内側部、上側部及び外側部に、当該封止シートの接着剤層が熱融着により圧着されるものである。
【０００６】
このように、本願に開示する缶容器においては、封止シートの周縁部の一部に突出して形成される剥離開始用タブを具備し、前記剥離開始用タブが形成された周縁部の一の領域においては、前記上端口部の少なくとも内側部及び上側部に、当該封止シートの接着剤層が熱融着により圧着され、前記周縁部の他の領域及び当該周縁部の前記剥離開始用タブが形成されていない領域においては、前記上端口部の少なくとも内側部、上側部及び外側部に、当該封止シートの接着剤層が熱融着により圧着されるため、剥離開始用タブを使って封止シートを簡単に剥離させることができ、非力な人でも容易に開封することができると共に、剥離開始用タブ以外の部分は封止シートが強固に接着されているため、容器内の乾燥を保って保存性を高めることができるという効果を奏する。
【０００７】
（２．切開部）
本願に開示する缶容器は、前記剥離開始用タブの外周部から、当該剥離開始用タブが形成された前記周縁部の一の領域近傍に向かって切開部が延出されているものである。
このように、本願に開示する缶容器においては、剥離開始用タブの外周部から、当該剥離開始用タブが形成された前記周縁部の一の領域近傍に向かって切開部が延出されているため、延出した切開部に応力を集中させることで封止シートが開封されやすくなるという効果を奏する。
【０００８】
（３．剥離開始用タブの形状）
本願に開示する缶容器は、前記剥離開始用タブが二股に分かれた形状を有しており、当該剥離開始用タブの分岐点を含み、当該剥離開始用タブの分岐が開始される第１の領域における当該二股に分かれた剥離開始用タブのなす角度が鋭角であり、当該剥離開始用タブの外側領域であって前記封止シートと着設される第２の領域における着設箇所が円弧状をなしてあるものである。
【０００９】
このように、本願に開示する缶容器においては、剥離開始用タブが二股に分かれた形状を有しており、当該剥離開始用タブの分岐点を含み、当該剥離開始用タブの分岐が開始される第１の領域における当該二股に分かれた剥離開始用タブのなす角度が鋭角であり、当該剥離開始用タブの外側領域であって前記封止シートと着設される第２の領域における着設箇所が円弧状をなしてあるため、右利き及び左利きのいずれであっても封止シートを剥離しやすく、また剥離が開始される箇所（以下、剥離開始点とする）である二股の分岐点に応力を集中させることで封止シートがさらに開封されやすくなるという効果を奏する。
【００１０】
（４．剥離開始用タブの形状に対応した接着領域）
本願に開示する缶容器は、前記第１の領域に対応する前記封止シートの周縁部においては、前記上端口部の少なくとも内側部及び上側部に、当該封止シートの接着剤層が熱融着により圧着され、前記第１の領域以外の他の領域に対応する当該封止シートの周縁部においては、前記上端口部の少なくとも内側部、上側部及び外側部に、当該封止シートの接着剤層が熱融着により圧着されて当該封止シートが接着されるものである。
【００１１】
このように、本願に開示する缶容器においては、前記第１の領域に対応する前記封止シートの周縁部においては、前記上端口部の少なくとも内側部及び上側部に、当該封止シートの接着剤層が熱融着により圧着され、前記第１の領域以外の他の領域に対応する当該封止シートの周縁部においては、前記上端口部の少なくとも内側部、上側部及び外側部に、当該封止シートの接着剤層が熱融着により圧着されて当該封止シートが接着されるため、剥離開始点を含む第１の領域では封止シートが剥離しやすく、それ以外の領域では、封止シートが強固に接着されているため、保存性を高く保ちつつ非力な人であっても容易に封止シートを開封することができるという効果を奏する。
【考案を実施するための最良の形態】
【００１２】
以下、本考案の実施の形態を説明する。本考案は多くの異なる形態で実施可能である。従って、本実施形態の記載内容のみで本考案を解釈すべきではない。また、本実施形態の全体を通して同じ要素には同じ符号を付けている。
【００１３】
（本考案の第１の実施形態）
本実施形態に係る缶容器を図１ないし図４を用いて説明する。図１は、本実施形態に係る缶容器の全体斜視図、図２は、本実施形態に係る缶容器の上面拡大図、図３は、本実施形態に係る缶容器の側断面拡大図、図４は、本実施形態に係る缶容器の接着領域を示す上面拡大図である。
【００１４】
図１において、缶容器１０は、缶胴１と、缶胴１の上端口部２を封止する封止シート３と、封止シート３の周縁部４の一部に具備されるタブ５とからなる。
缶胴１は、スチール等の金属の平板を円筒状に丸めて両端部を接合して継目７を形成している。缶胴１の上端口部２は、開口部を内側方向に曲成すると共に、その先端部を外側方向に広げてながら湾曲して断面円弧状に形成されている（図１では図示しないが、詳細は図３をもちいて後述する）。これは、封止シート３を開封した後に、上端口部２に触れることで怪我等が発生しないように配慮した構造であり、従来から一般的に用いられる構造である。
【００１５】
封止シート３は、アルミ箔等の金属薄膜にポリエチレン等の合成樹脂層と接着剤等の接着剤層が積層された構造を有しており、接着剤が缶容器１０の内側でアルミ箔が缶容器の外側になるように封止される。封止する際には、封止シート３を上端口部２に圧着させて加熱し、熱融着により接着して封止する。また、封止シート３は、封止された時に缶容器１０の内部が密閉できるように、上端口部２より大きく（広く）形成されている。また、上端口部２より大きく形成したことによる、その余った領域（周縁部４）と、上端口部２の円弧状を有する開口部とが強固に接着される構造となっている（詳細は図３を用いて後述する）。
周縁部４の一部にはタブ５が具備されており、利用者が封止シート３を開封する際にタブ５を摘むことで、封止シート３が上端口部２から剥離しやすくなる。
【００１６】
図２は、図１における剥離開始部６の上面拡大図である。ここでは、わかりやすく説明するために、上端口部２とタブ５のみを図示しており、封止シート３及び周縁部４は図示していない。上端口部２は、缶容器１０の内側部１１と上側部１２と外側部１３とからなり、外側方向にタブ５が突出している。
なお、このタブ５は、上端口部２と着設しているわけではなく、封止シート３の周縁部４に着設している。
【００１７】
図２における、Ａ−Ａ及びＢ−Ｂの断面図を図３に示す。図３（ａ）は、図２におけるＡ−Ａの断面図で、図３（ｂ）は、図２におけるＢ−Ｂの断面図である。図からわかるように、上端口部２は断面円弧状になっており、その円弧面に沿うようにして封止シート３の周縁部４が接着されている。Ａ−Ａの断面図では、周縁部４が、上端口部２の内側部１１、上側部１２及び外側部１３の少なくとも３箇所で接着されているが、Ｂ−Ｂの断面図では、周縁部４が、上端口部２の内側部１１及び上側部１２の２箇所で接着され、外側部１３では接着されていない。
【００１８】
これは、Ｂ−Ｂの断面図が示す領域が、タブ５を有する剥離開始部であるためである。つまり、外側部１３で周縁部４を接着しないことにより、封止シート３の剥離開始に必要な力を最小限としつつ、上側部１２及び内側部１３で周縁部４を接着することで、缶容器１０内の保存性を高く保っている。また、Ａ−Ａの断面図が示す領域（剥離開始部以外の全ての領域）では、少なくとも内側部１１、上側部１２及び外側部１３の３箇所で周縁部４を接着しているため、強固な接着となっており、缶容器１０内の保存性を高く保っている。
【００１９】
なお、図３（ａ）においては、わかりやすくするために、内側部１１、上側部１２及び外側部１３以外の領域に封止シート３が接着されていないように図示しているが、実際は、熱融着を行う際に、剥離開始部以外の領域においては封止シート３全体を圧着するため、内側部１１、上側部１２及び外側部１３以外の領域も封止シート３が接着されていることが多い。また、図３（ｂ）においては、外側部１３以外の領域については、封止シート３が接着されていることが多い。
【００２０】
上端口部２と、封止シート３における周縁部４との接着領域を示した図が図４である。図４における斜線部分が、封止シート３と接着する領域である。タブ５を有する箇所における上端口部２の外側部１３は接着領域になっていない。つまり、図３（ｂ）に示すように、上端口部２の外側部１３と周縁部４及びタブ５とは接着されておらず、剥離する際に容易に剥離させることができるようになっている。
【００２１】
このように、本実施形態に係る缶容器によれば、封止シート３の周縁部４の一部に突出して形成されるタブ５を具備し、前記タブ５が形成された当該封止シート３の周縁部４においては、前記上端口部２の少なくとも内側部及び上側部に、当該封止シート３の接着剤層が熱融着により圧着され、前記タブ５が具備されていない当該封止シート３の他の周縁部４においては、前記上端口部２の少なくとも内側部、上側部及び外側部に、当該封止シート３の接着剤層が熱融着により圧着されるため、タブ５を使って封止シート３を簡単に剥離させることができ、非力な人でも容易に開封することができると共に、タブ５以外の部分は封止シート３が強固に接着されているため、容器内の乾燥を保って保存性を高めることができる。
【００２２】
（本考案の第２の実施形態）
本実施形態に係る缶容器を図５を用いて説明する。図５は、本実施形態に係る缶容器におけるタブの拡大図である。
なお、ここでは、前記第１の実施形態と重複する説明については省略する。
【００２３】
図５において、前記第１の実施形態に係る缶容器１０と異なるのは、タブ５の外周部から被接着領域に向かって切開部８が延出されている点である。これは、タブ５に切開部８を形成することにより、切開部８と周縁部４とのなす角度が鋭角になり、応力を集中しやすくするためである。つまり、開封時に被接着領域に鋭く切り込みを入れることができ、それをトリガにして封止シート３の剥離開始を容易に行うことができる。
【００２４】
なお、図５においては、切開部８を２箇所に形成しているが、１箇所のみでもよいし、３箇所以上に設けてもよい。また、切開部８を形成する位置については、タブの外周部から被接着領域近傍に向かった切開部であればどこに形成されてもよい。
【００２５】
このように、本実施形態に係る缶容器によれば、タブ５の外周部から、当該タブ５が形成された前記周縁部４の一の領域（被接着領域）近傍に向かって切開部８が延出されているため、延出した切開部８に応力を集中させることで封止シート３が開封されやすくなる。
【００２６】
（本考案の第３の実施形態）
本実施形態に係る缶容器を図６ないし図１０を用いて説明する。図６は、本実施形態に係る缶容器の全体斜視図、図７は、本実施形態に係る缶容器におけるタブの拡大図、図８は、本実施形態に係る缶容器の上面拡大図、図９は、本実施形態に係る缶容器の側断面拡大図、図１０は、本実施形態に係る缶容器の接着領域を示す上面拡大図である。
なお、ここでは、前記第１の実施形態と重複する説明については省略する。
【００２７】
図６において、前記第１の実施形態に係る缶容器１０と異なるのは、タブ５が二股の形状（５ａ、５ｂ）を有している点である。これは、タブ５を二股に分けて、右利きの人は右のタブ５ｂを、左利きの人は左のタブ５ａを摘んで封止シート３を剥がすことにより、剥離開始点５ｃに応力を集中させて開封しやすくするためである。
【００２８】
図７は、タブ５の拡大図である。二股の分岐領域（以下、第１の領域２１とする）においては、剥離開始点５ｃにおけるタブ５ａとタブ５ｂのなす角度θが鋭角となっている。角度θを鋭角にすることで、応力が集中しやすくなり、封止シート３の開封を容易にすることができる。また、二股の外側領域で周縁部４と着設する領域（以下、第２の領域２２とする）においては、周縁部４とタブ５ａ及びタブ５ｂが円弧状をなして着設されている。このように滑らかなラインで着設されることで、開封時に利用者の指が引っかかったり怪我の発生等を防止することができる。
【００２９】
次に断面について説明する。図８のＡ１−Ａ１に該当する断面図は、図９（ａ）の断面図であり、図８のＢ１−Ｂ１に該当する断面図は、図９（ｂ）の断面図であり、図８のＣ１−Ｃ１に該当する断面図は、図９（ｃ）の断面図である。Ａ１−Ａ１の断面図については、前記第１の実施形態における図３（ａ）と同じである。第１の領域２１に対応する箇所における周縁部４のＣ１−Ｃ１の断面図では、上端口部２の内側部１１及び上側部１２にて圧着されて周縁部４が熱融着され、第２の領域２２に対応する箇所における周縁部４のＢ１−Ｂ１の断面図では、上端口部２の内側部１１、上側部１２及び外側部１３にて圧着されて周縁部４が熱融着されている。
【００３０】
すなわち、本実施形態に係る缶容器１０では、剥離が開始される第１の領域２１において、封止シート３が剥離しやすい構造になっており、剥離が開始される領域ではない第２の領域２２においては、タブ５ａ及びタブ５ｂを具備しているとはいえ、強固に接着されて、保存性が高い構造になっている。
【００３１】
上端口部２と、封止シート３における周縁部４との接着領域を示した図が図１０である。図１０における斜線部分が、封止シート３と接着する領域である。第１の領域２１に対応する箇所における上端口部２の外側部１３は接着領域になっていない。つまり、図９（ｃ）に示すように、上端口部２の外側部１３と周縁部４とは接着されておらず、剥離する際に容易に剥離させることができるようになっている。一方、第２の領域２２に対応する箇所における上端口部２の外側部１３は接着領域になっている。つまり、図９（ｂ）に示すように、上端口部２の外側部１３と周縁部４及びタブ５ａ、５ｂとは接着されており、缶容器１０の内部の保存性を高めている。
【００３２】
なお、図９（ａ）においては、わかりやすくするために、内側部１１、上側部１２及び外側部１３以外の領域に封止シート３が接着されていないように図示しているが、実際は、熱融着を行う際に、第１の領域以外の領域においては封止シート３全体を圧着するため、内側部１１、上側部１２及び外側部１３以外の領域も封止シート３が接着されていることが多い。上端口部２の接着剤が塗布された面全体に、封止材３が接着されていることが多い。図９（ｂ）についても同様のことが言える。また、図３（ｃ）においては、外側部１３以外の領域については、封止シート３が接着されていることが多い。
【００３３】
このように、本実施形態に係る缶容器によれば、タブ５が二股に分かれた形状（５ａ、５ｂ）を有しており、当該タブ５の分岐点を含み、当該タブ５の分岐が開始される第１の領域２１における当該二股に分かれたタブ５ａ、５ｂのなす角度が鋭角であり、当該タブ５の外側領域であって前記封止シート３と着設される第２の領域２２における着設箇所が円弧状をなしてあるため、右利き及び左利きのいずれであっても封止シート３を剥離しやすく、また剥離が開始される箇所である剥離開始点５ｃに応力を集中させることで封止シート３がさらに開封されやすくなる。
【００３４】
また、第１の領域２１に対応する前記封止シート３の周縁部４においては、前記上端口部２の少なくとも内側部１１及び上側部１２に、当該封止シート３の接着剤層が熱融着により圧着され、前記第２の領域２２に対応する当該封止シート３の周縁部４においては、前記上端口部２の少なくとも内側部１１、上側部１２及び外側部１３に、当該封止シート３の接着剤層が熱融着により圧着されて当該封止シート３が接着されるため、剥離開始点５ｃを含む第１の領域２１では封止シート３が剥離しやすく、それ以外の領域では、封止シート３が強固に接着されているため、保存性を高く保ちつつ非力な人であっても容易に封止シートを開封することができる。
【００３５】
以上の前記各実施形態により本考案を説明したが、本考案の技術的範囲は実施形態に記載の範囲には限定されず、これら各実施形態に多様な変更又は改良を加えることが可能である。そして、かような変更又は改良を加えた実施の形態も本考案の技術的範囲に含まれる。このことは、実用新案登録請求の範囲及び課題を解決する手段からも明らかなことである。
【実施例】
【００３６】
（１．実験内容）
封止材（シール）を開封して、剥離位置に応じたピール強度を測定した。
【００３７】
（２．実験条件）
アルミ箔、ポリエチレン、接着剤の３層構造を有するシールを用意し、海苔保存用の缶に熱融着により接着する。接着する際に、剥離開始部が強固に接着されたもの（上端口部２の内側部１１、上側部１２及び外側部１３に接着剤が塗布されたもの：シールＡ）と剥離開始部が強固に接着されていないもの（上端口部２の内側部１１及び上側部１２に接着剤が塗布されたもの：シールＢ）に分けて用意する。剥離開始部以下の箇所は、いずれのシールも強固に接着されている。また、海苔保存用の缶は直径１００ｍｍの円筒状の缶を使用する。
接着されたシールを引張速度１００ｍｍ／ｍｉｎ又は２５０ｍｍ／ｍｉｎにて剥離角度９０度で剥離を行い、その時の剥離位置におけるピール強度を測定する。
【００３８】
（３．実験結果）
以下の表に実験結果を示す。
【００３９】
（１）引張速度１００ｍｍ／ｍｉｎの場合
【００４０】
【表１】
0003143942.tif 000003
【００４１】
この表１を元に作成したグラフを図１１に示す。
（２）引張速度２５０ｍｍ／ｍｉｎの場合
【００４２】
【表２】
0003143942.tif 000004
この表２を元に作成したグラフを図１２に示す。
【００４３】
上記表１及び表２並びに図１１及び図１２に示すグラフから、いずれの実験においても剥離開始の時（剥離位置０ｍｍ）と剥離終了の時（剥離位置１００ｍｍ）において大きな力が掛かっていることがわかる。また、剥離開始の時と剥離終了の時において、特に大きな力を要しているのがシールＡを剥離した場合である。これは、シールＡの剥離開始部が強固に接着されているためである。
ピール強度の平均値においてもシールＢに比べてシールＡの方が開封するために大きな力を要していることがわかる。
【００４４】
（４．考察）
上記の実験結果から、剥離開始部が強固に接着されていないシールＢの方が、開封時に大きな力を必要とせず、容易に開封できると言える。
なお、シールＢにおいて、缶容器１０の保存性はシールＡの場合と比較して遜色ないことは考案者らにより実証済みである。すなわち、シールＢ（本願に係る缶容器）では、缶容器の保存性を高く保ちつつ、非力な人でも容易に開封することができることが実験により実証された。
【図面の簡単な説明】
【００４５】
【図１】第１の実施形態に係る缶容器の全体斜視図である。
【図２】第１の実施形態に係る缶容器の上面拡大図である。
【図３】第１の実施形態に係る缶容器の側断面拡大図である。
【図４】第１の実施形態に係る缶容器の接着領域を示す上面拡大図である。
【図５】第２の実施形態に係る缶容器におけるタブの拡大図である。
【図６】第３の実施形態に係る缶容器の全体斜視図である。
【図７】第３の実施形態に係る缶容器におけるタブの拡大図である。
【図８】第３の実施形態に係る缶容器の上面拡大図である。
【図９】第３の実施形態に係る缶容器の側断面拡大図である。
【図１０】第３の実施形態に係る缶容器の接着領域を示す上面拡大図である。
【図１１】実験結果を示す第１のグラフである。
【図１２】実験結果を示す第２のグラフである。
【図１３】従来技術を示す図である。
【符号の説明】
【００４６】
１  缶胴
２  上端口部
３  封止材
４  周縁部
５  タブ
５ａ、５ｂ  タブ
５ｃ  剥離開始点
６  剥離開始部
７  継目
８  切開部
１０  缶容器
１１  内側部
１２  上側部
１３  外側部
２１  第１の領域
２２  第２の領域
【図１】
0003143942.tif 000005
【図２】
0003143942.tif 000006
【図３】
0003143942.tif 000007
【図４】
0003143942.tif 000008
【図５】
0003143942.tif 000009
【図６】
0003143942.tif 000010
【図７】
0003143942.tif 000011
【図８】
0003143942.tif 000012
【図９】
0003143942.tif 000013
【図１０】
0003143942.tif 000014
【図１３】
0003143942.tif 000015
【図１１】
0003143942.tif 000016
【図１２】
0003143942.tif 000017